(57)【要約】基地局の分散ユニット（２）は、特定のシステム情報のブロードキャストを要求するシグナリングメッセージを基地局の中央ユニット（１）から受信したことに応答して、複数の無線端末の活性化ダウンリンク（ＤＬ）ｂａｎｄｗｉｄｔｈ  ｐａｒｔ（ＢＷＰ）を、特定のシステム情報を受信するためのｓｅａｒｃｈ  ｓｐａｃｅ（ＳＳ）を設定されていない第１のＤＬ  ＢＷＰから特定のシステム情報を受信するためのＳＳを設定されている第２のＤＬ  ＢＷＰに変更する。分散ユニット（２）は、さらに、特定のシステム情報を第２のＤＬ  ＢＷＰ上でブロードキャストする。
2020049812.tif 000002
【特許請求の範囲】
【請求項１】
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更し、
前記シグナリングメッセージを受信したことに応答して、前記特定のシステム情報を前記第２のダウンリンクBWP上でブロードキャストするよう構成される、
分散ユニット。
【請求項２】
前記少なくとも１つのプロセッサは、前記活性化ダウンリンクBWPの前記第１のダウンリンクBWPから前記第２のダウンリンクBWPへの変更を示すダウンリンク制御情報を前記複数の無線端末に送信するよう構成され、
前記ダウンリンク制御情報は、前記第２のダウンリンクBWPでの前記特定のシステム情報の受信をトリガーする表示（indication）をさらに含む、
請求項１に記載の分散ユニット。
【請求項３】
前記第１のダウンリンクBWPはイニシャル・ダウンリンクBWPであり、前記第２のダウンリンクBWPはイニシャル・ダウンリンクBWPである、
請求項１又は２に記載の分散ユニット。
【請求項４】
前記特定のシステム情報は、Public Warning System（PWS）の警告（Warning）メッセージである、
請求項１〜３のいずれか１項に記載の分散ユニット。
【請求項５】
前記シグナリングメッセージは、F1インタフェース上で前記中央ユニットから前記分散ユニットに送られるWRITE-REPLACE WARNING REQUESTメッセージである、
請求項４に記載の分散ユニット。
【請求項６】
基地局の分散ユニットにおける方法であって、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
前記シグナリングメッセージを受信したことに応答して、前記特定のシステム情報を前記第２のダウンリンクBWP上でブロードキャストすること、
を備える方法。
【請求項７】
前記変更することは、前記活性化ダウンリンクBWPの前記第１のダウンリンクBWPから前記第２のダウンリンクBWPへの変更を示すダウンリンク制御情報を前記複数の無線端末に送信することを備え、
前記ダウンリンク制御情報は、前記第２のダウンリンクBWPでの前記特定のシステム情報の受信をトリガーする表示（indication）をさらに含む、
請求項６に記載の方法。
【請求項８】
前記第１のダウンリンクBWPはイニシャル・ダウンリンクBWPであり、前記第２のダウンリンクBWPはイニシャル・ダウンリンクBWPである、
請求項６又は７に記載の方法。
【請求項９】
前記特定のシステム情報は、Public Warning System（PWS）の警告（Warning）メッセージである、
請求項６〜８のいずれか１項に記載の方法。
【請求項１０】
前記シグナリングメッセージは、F1インタフェース上で前記中央ユニットから前記分散ユニットに送られるWRITE-REPLACE WARNING REQUESTメッセージである、
請求項９に記載の方法。
【請求項１１】
基地局の分散ユニットにおける方法をコンピュータに行わせるためのプログラムを格納した非一時的なコンピュータ可読媒体であって、
前記方法は、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
前記シグナリングメッセージを受信したことに応答して、前記特定のシステム情報を前記第２のダウンリンクBWP上でブロードキャストすること、
を備える、
非一時的なコンピュータ可読媒体。
【請求項１２】
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成し、
前記複数の個別シグナリングメッセージを前記第１のダウンリンクBWP上で前記複数の無線端末に送信するよう構成される、
分散ユニット。
【請求項１３】
前記少なくとも１つのプロセッサは、さらに、前記特定のシステム情報を受信するためのsearch spaceを設定されている第２のダウンリンクBWP上で前記特定のシステム情報をブロードキャストするよう構成される、
請求項１２に記載の分散ユニット。
【請求項１４】
前記複数の個別シグナリングメッセージの各々はRadio Resource Control（RRC）メッセージであり、
前記少なくとも１つのプロセッサは、RRCシグナリングの暗号化（ciphering）のためセキュリティキーを使用せずに、前記複数の個別シグナリングメッセージを送信するよう構成される、
請求項１２又は１３に記載の分散ユニット。
【請求項１５】
前記少なくとも１つのプロセッサは、さらに、前記複数の個別シグナリングメッセージの送信に先立って、前記セキュリティキーによって暗号化されていないRRCメッセージのためのダウンリンク無線リソースのスケジューリングを示すダウンリンク制御情報を前記複数の無線端末に送信するよう構成される、
請求項１４に記載の分散ユニット。
【請求項１６】
前記複数の個別シグナリングメッセージの各々はRadio Resource Control（RRC）メッセージであり、
前記少なくとも１つのプロセッサは、前記複数の個別シグナリングメッセージを暗号化するための複数のセキュリティキーを前記中央ユニットから受信するよう構成される、
請求項１２又は１３に記載の分散ユニット。
【請求項１７】
前記特定のシステム情報は、Public Warning System（PWS）の警告（Warning）メッセージである、
請求項１２〜１６のいずれか１項に記載の分散ユニット。
【請求項１８】
前記第１のシグナリングメッセージは、F1インタフェース上で前記中央ユニットから前記分散ユニットに送られるWRITE-REPLACE WARNING REQUESTメッセージである、
請求項１７に記載の分散ユニット。
【請求項１９】
基地局の分散ユニットにおける方法であって、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成すること、及び
前記複数の個別シグナリングメッセージを前記第１のダウンリンクBWP上で前記複数の無線端末に送信すること、
を備える方法。
【請求項２０】
前記特定のシステム情報を受信するためのsearch spaceを設定されている第２のダウンリンクBWP上で前記特定のシステム情報をブロードキャストすることをさらに備える、
請求項１９に記載の方法。
【請求項２１】
前記複数の個別シグナリングメッセージの各々はRadio Resource Control（RRC）メッセージであり、
前記送信することは、RRCシグナリングの暗号化（ciphering）のためセキュリティキーを使用せずに、前記複数の個別シグナリングメッセージを送信することを含む、
請求項１９又は２０に記載の方法。
【請求項２２】
前記複数の個別シグナリングメッセージの送信に先立って、前記セキュリティキーによって暗号化されていないRRCメッセージのためのダウンリンク無線リソースのスケジューリングを示すダウンリンク制御情報を前記複数の無線端末に送信することをさらに備える、
請求項２１に記載の方法。
【請求項２３】
前記複数の個別シグナリングメッセージの各々はRadio Resource Control（RRC）メッセージであり、
前記方法は、前記複数の個別シグナリングメッセージを暗号化するための複数のセキュリティキーを前記中央ユニットから受信することをさらに備える、
請求項１９又は２０に記載の方法。
【請求項２４】
前記特定のシステム情報は、Public Warning System（PWS）の警告（Warning）メッセージである、
請求項１９〜２３のいずれか１項に記載の方法。
【請求項２５】
前記第１のシグナリングメッセージは、F1インタフェース上で前記中央ユニットから前記分散ユニットに送られるWRITE-REPLACE WARNING REQUESTメッセージである、
請求項２４に記載の方法。
【請求項２６】
基地局の分散ユニットにおける方法をコンピュータに行わせるためのプログラムを格納した非一時的なコンピュータ可読媒体であって、
前記方法は、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成すること、及び
前記複数の個別シグナリングメッセージを前記第１のダウンリンクBWP上で前記複数の無線端末に送信すること、
を備える、
非一時的なコンピュータ可読媒体。
【請求項２７】
無線端末であって、
メモリと、
前記メモリに結合された少なくとも１つのプロセッサと、
を備え、
前記少なくとも１つのプロセッサは、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信し、
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信するよう構成される、
無線端末。
【請求項２８】
前記少なくとも１つのプロセッサは、さらに、前記特定のシステム情報を受信するためのsearch spaceを設定されている第２のダウンリンクBWPに前記無線端末が滞在しているとき、前記第２のダウンリンクBWP上でのブロードキャストを介して前記特定のシステム情報を受信するよう構成される、
請求項２７に記載の無線端末。
【請求項２９】
前記特定のシステム情報は、Public Warning System（PWS）の警告（Warning）メッセージである、
請求項２７又は２８に記載の無線端末。
【請求項３０】
無線端末における方法であって、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信すること、及び
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信すること、
を備える、方法。
【請求項３１】
前記特定のシステム情報を受信するためのsearch spaceを設定されている第２のダウンリンクBWPに前記無線端末が滞在しているとき、前記第２のダウンリンクBWP上でのブロードキャストを介して前記特定のシステム情報を受信することをさらに備える、
請求項３０に記載の方法。
【請求項３２】
前記特定のシステム情報は、Public Warning System（PWS）の警告（Warning）メッセージである、
請求項３０又は３１に記載の方法。
【請求項３３】
無線端末における方法をコンピュータに行わせるためのプログラムを格納した非一時的なコンピュータ可読媒体であって、
前記方法は、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信すること、及び
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信すること、
を備える、
非一時的なコンピュータ可読媒体。
【発明の詳細な説明】
【技術分野】
【０００１】
本開示は、無線通信システムに関し、特に１つのキャリア帯域内に設定された１又はそれ以上の帯域（bandwidth）パートの使用に関する。
【背景技術】
【０００２】
3rd Generation Partnership Project（3GPP）は、2020年以降の導入に向けた第5世代移動通信システム（5G）の標準化作業を行っている。5Gは、LTE及びLTE-Advancedの継続的な改良・発展（enhancement/evolution）と新たな5Gエアインタフェース（新たなRadio Access Technology（RAT））の導入による革新的な改良・発展の組合せで実現される。新たなRATは、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。【０００３】
本明細書では、第5世代移動通信システムは、5G System、又はNext Generation (NextGen) System（NG System）と呼ばれる。5G Systemのための新たなRATは、New Radio（NR）、5G RAT、又はNG RATと呼ばれる。5G Systemのための新たな無線アクセスネットワーク（Radio Access Network（RAN））は、NextGen RAN（NG-RAN）又は5G-RANと呼ばれる。NG-RAN内の新たな基地局は、gNodeB（gNB）と呼ばれる。5G Systemのための新たなコアネットワークは、5G Core Network（5GC）又はNextGen Core（NG Core）と呼ばれる。5G Systemに接続する無線端末（User Equipment（UE））は、5G UE、NextGen UE（NG-UE）又は単にUEと呼ばれる。【０００４】
本明細書で使用される“LTE”との用語は、特に断らない限り、5G Systemとのインターワーキングを可能とするためのLTE及びLTE-Advancedの改良・発展を含む。5G System とのインターワークのためのLTE及びLTE-Advancedの改良・発展は、LTE-Advanced Pro、LTE+、又はenhanced LTE（eLTE）と呼ばれる。さらに、本明細書で使用される“Evolved Packet Core (EPC)”、“Mobility Management Entity (MME)”、“Serving Gateway (S-GW)”、及び“Packet Data Network (PDN) Gateway (P-GW)”等のLTEのネットワーク又は論理的エンティティに関する用語は、特に断らない限り、5G Systemとのインターワーキングを可能とするためのこれらの改良・発展を含む。改良されたEPC、MME、S-GW、及びP-GWは、例えば、enhanced EPC（eEPC）、enhanced MME（eMME）、enhanced S-GW（eS-GW）、及びenhanced P-GW（eP-GW）と呼ばれる。【０００５】
LTE及びLTE-Advancedでは、Quality of Service（QoS）及びパケットルーティングのために、QoSクラス毎且つPDNコネクション毎のベアラがRAN（i.e., Evolved Universal Terrestrial RAN（E-UTRAN））及びコアネットワーク（i.e., EPC）の両方で使用される。すなわち、Bearer-based QoS（or per-bearer QoS）コンセプトでは、UEとEPC内のP-GWとの間に１又は複数のEvolved Packet System (EPS) bearersが設定され、同じQoSクラスを持つ複数のサービスデータフロー（Service Data Flows（SDFs））はこれらのQoSを満足する１つのEPS bearerを通して転送される。【０００６】
これに対して、5G Systemでは、無線ベアラがNG-RAN において使用されるかもしれないが、5GC内及び5GCとNG-RANの間のインタフェースにおいてベアラは使用されない。具体的には、EPS bearerの代わりにQoS flowsが定義され、１又は複数のSDFsは、１又は複数のQoS flowsにマップされる。5G UEとNG Core内のユーザプレーン終端エンティティ（i.e., EPC内のP-GWに相当するエンティティ）との間のQoS flowは、EPS Bearer-based QoSコンセプトにおけるEPSベアラに相当する。QoS flowは、5G system内でのパケットフォワーディング及び処理（treatment）の最も微細な粒度（finest granularity）に対応する。すなわち、5G Systemは、Bearer-based QoSコンセプトの代わりにFlow-based QoS（or per-flow QoS）コンセプトを採用する。Flow-based QoS コンセプトでは、QoSはQoS flow単位で取り扱われる（handled）。5G UEとデータネットワークとの間の関連付け（association）は、PDUセッション（PDU session）と呼ばれる。PDUセッションは、LTE及びLTE-AdvancedのPDNコネクション（PDN connection）に相当する用語である。複数のQoS flowsが１つのPDUセッション内に設定されることができる。3GPP仕様は、5G Systemのために、LTEのQCIに相当する5G QoS Indicator（5QI）を規定する。【０００７】
図１は、5G systemの基本アーキテクチャを示している。図１に示されたアーキテクチャは、“Standalone NR (in NextGen System)”又は“オプション２”と呼ばれるアーキテクチャである。UEは、gNBとの間に１又はそれ以上のシグナリング無線ベアラ（Signalling Radio Bearers（SRBs））及び１又はそれ以上のデータ無線ベアラ（Data Radio Bearers（DRBs））を確立する。5GC及びgNBは、UEのためのコントロールプレーン・インタフェース及びユーザプレーン・インタフェースを確立する。5GCとgNB（i.e., RAN）の間のコントロールプレーン・インタフェースは、NG-cインタフェースと呼ばれ、Non-Access Stratum（NAS）情報の転送、及び5GCとgNB間の制御情報（e.g., N2 AP Information Element）に使用される。5GCとgNB（i.e., RAN）の間のユーザプレーン・インタフェースは、NG-uインタフェースと呼ばれ、UEのPDUセッション内の１又はそれ以上のQoS flowsのパケット（packets）の転送に使用される。【０００８】
NRは、複数の周波数バンドでの異なる無線パラメタセットの使用をサポートする。各無線パラメタセットは、“numerology”と呼ばれる。Orthogonal Frequency Division Multiplexing（OFDM）システムのためのOFDM numerologyは、例えば、サブキャリア間隔（subcarrier spacing）、システム帯域幅（system bandwidth）、送信時間間隔の長さ（Transmission Time Interval (TTI) length）、サブフレーム長（subframe duration）、サイクリックプリフィックス長さ（Cyclic prefix length）、及びシンボル期間（symbol duration）を含む。5G systemは、異なるサービス要件の様々なタイプのサービス、例えば広帯域通信（enhanced Mobile Broad Band: eMBB）、高信頼・低遅延通信（Ultra Reliable and Low Latency Communication:  URLLC）、及び多接続M2M通信（massive Machine Type Communication: mMTC）を含む、をサポートする。Numerologyの選択は、サービス要件に依存する。【０００９】
NRは、LTEのそれに比べてより広いチャネル帯域（channel bandwidths）（e.g., 100s of MHz）をサポートする。１つのチャネル帯域（i.e., BWChannel）は、１つのNRキャリアをサポートするradio frequency帯域（RF bandwidth）である。チャネル帯域は、システム帯域とも呼ばれる。LTEが20 MHzまでのチャネル帯域をサポートするのに対して、5G NRは例えば500 MHzまでのチャネル帯域（channel bandwidths）をサポートする。【００１０】
複数の5Gサービス、例えばeMBBのような広帯域サービス及びInternet of Things（IoT）のような狭帯域サービスを効率的にサポートするためには、これら複数のサービスを１つのチャネル帯域上に多重できることが好ましい。さらに、もし全ての5G UEがチャネル帯域全体に対応した送信帯域（transmission bandwidth）での送信および受信をサポートしなければならないなら、これは狭帯域IoTサービスのためのUEsの低コスト及び低消費電力を妨げるかもしれない。したがって、3GPPは、各NRコンポーネントキャリアのキャリア帯域（i.e., チャネル帯域又はシステム帯域）内に１又はそれ以上のbandwidth parts（BWPs）が設定されることを許容する。bandwidth partは、carrier bandwidth partとも呼ばれる。複数のBWPsは、異なるnumerologies（e.g., subcarrier spacing（SCS））の周波数多重（frequency division multiplexing（FDM））のために使用されてもよい。例えば、複数のBWPsは、異なるSCS及び異なるbandwidthを持ってもよい。【００１１】
図２及び図３は、BWPの使用例を示している。図２に示された例では、１つのコンポーネントキャリアのチャネル帯域がBWP #1及びBWP #2に分割され、これら２つのBWPsが異なるnumerologies（e.g., 異なるsubcarrier spacing）のFDMのために使用される。図３に示された例では、１つのコンポーネントキャリアのチャネル帯域の中に狭帯域なBWP #1が配置され、BWP #1よりも狭帯域なBWP #2がさらに配置されている。BWP #1又はBWP #2がUEに対して活性化されている場合、当該UEはactive BWPの外側（しかしチャネル帯域内）で受信及び送信を行わないことにより電力消費を低減できる。【００１２】
１つのbandwidth part（BWP）は、周波数において連続的であり（frequency-consecutive）、隣接する（contiguous）physical resource blocks（PRBs）により構成される。１つのBWPの帯域（bandwidth）は、少なくともsynchronization signal (SS)/physical broadcast channel(PBCH) block帯域と同じ大きさである。BWPは、SS/PBCH block（SSB）を包含してもしなくてもよい。【００１３】
BWP configurationは、例えば、numerology、 frequency location、及びbandwidth（e.g., PRBsの数）を含む。frequency locationを指定するために、共通のPRB indexingが少なくともRadio Resource Control (RRC)connected状態でのダウンリンク（DL）BWP configurationのために使用される。具体的には、UEによってアクセスされるSSBの最低（the lowest）PRBへのPRB 0からのオフセットが上位レイヤシグナリング（higher layer signaling）によって設定される。参照（reference）ポイント“PRB 0”は、同じ広帯域コンポーネントキャリアを共用する全てのUEsに共通である。【００１４】
１つのSS/PBCH blockは、NR synchronization signals（NR-SS）及びNR physical broadcast channel（NR-PBCH）のような、idleのUEのために必要な基本の信号（primary signals）を含む。NR-SSは、DL同期を得るためにUEにより使用される。Radio Resource Management (RRM) measurement（e.g., RSRP measurement）をidleのUEに可能にするために、Reference Signal（RS）がSS/PBCH blockにおいて送信される。当該RSは、NR-SSそれ自体であってもよいし、追加のRSであってもよい。NR-PBCHは、最小限のシステム情報（Minimum System Information (minimum SI)）の一部（例えば、Master Information Block (MIB)）をブロードキャストする。残りのminimum SI（remaining minimum SI（RMSI））は、Physical Downlink Shared Channel（PDSCH）で送信される。【００１５】
ネットワークは、１つの広帯域コンポーネントキャリアのチャネル帯域内において複数の（multiple）SS/PBCH blocksを送信できる。言い換えると、チャネル帯域内の複数のBWPにおいてSS/PBCH blocksが送信されてもよい。第１案では、１つの広帯域キャリア内の全てのSS/PBCH blocksは、同一の物理レイヤセル識別子（physical-layer cell identity）に対応するNR-SS（e.g., primary SS (PSS)及びsecondary SS (SSS)）に基づく。第２案では、１つの広帯域キャリア内の異なるSS/PBCH blocksは、異なる物理レイヤセル識別子（physical-layer cell identities）に対応するNR-SSに基づいてもよい。【００１６】
UEの視点（perspective）では、セルが１つのSS/PBCH blockに関連付けられる。したがって、UEのために、各サービングセルは、周波数において１つの関連付けられたSS/PBCH block （single associated SS/PBCH block）を持つ。なお、各サービングセルは、carrier aggregation (CA)及びdual connectivity (DC)でのprimary cell (PCell)、DCでのprimary secondary cell (PSCell)、又はCA及びDCでのsecondary cell (SCell)である。このようなSSBは、cell defining SS/PBCH blockと呼ばれる。Cell defining SS/PBCH blockは、関連付けられたRMSIを持つ。Cell defining SS/PBCH blockは、サービングセルの時間基準（time reference）又はタイミング基準（timing reference）の役割を果たす。また、Cell defining SS/PBCH blockは、SS/PBCH block (SSB) based RRM Measurementsのために使用される。Cell defining SS/PBCH blockは、PCell/PSCellに対して“synchronous reconfiguration” （例えば、RRC Reconfiguration procedureを用いたhandoverを伴わない無線リソース設定情報の再設定）によって、及びSCellに対して“SCell release/add”によって変更されることができる。【００１７】
各コンポーネントキャリアのための１又は複数のBWP configurationsは、準静的に（semi-statically）UEにシグナルされる。具体的には、各UE-specificサービングセルのために、１又はそれ以上のDL BWPs（e.g., 最大４つのDL BWPs）及び１又はそれ以上のUL BWPs（e.g., 最大４つのUL BWPs）がdedicated RRCメッセージによってUEのために設定されることができる。UEに設定された１又はそれ以上のDL BWPs及び１又はそれ以上のUL BWPsは、それぞれ“DL BWPセット”及び“UL BWPセット”と呼ばれる。【００１８】
UEに設定された１又はそれ以上のBWPs（i.e., BWPセット）の各々は活性化（activated）及び非活性化（deactivated）されることができる。活性化されたBWPは“活性化BWP（active BWP）”と呼ばれる。すなわち、UEは、任意の時点で（at a given time）、設定されたDL BWPセットのうちの１又はそれ以上の活性化DL BWP上で信号を受信する。同様に、UEは、任意の時点で（at a given time）、設定されたUL BWPセットのうちの１又はそれ以上の活性化UL BWP上で信号を送信する。なお、現在の仕様では、任意の時点で（at a given time）、１つのDL BWPのみ及び１つのUL BWPのみが活性化される。【００１９】
BWPの活性化／非活性化は、RRCレイヤではなく、下位レイヤ（e.g., Physical（PHY）レイヤ又はMedium Access Control（MAC）レイヤ）によって決定される。Active BWPの切り替えは、例えば、NR Physical Downlink Control Channel（PDCCH）で送信されるダウンリンク制御情報（Downlink Control Information（DCI））（e.g., scheduling DCI）によって行われる。言い換えると、現在のactive BWPの非活性化（deactivation）と新規のactive BWPの活性化（activation）は、NR PDCCHのDCIによって行われてもよい。ネットワークは、例えばデータレートに応じて又はサービスによって要求されるnumerologyに応じて、BWPを活性化／非活性化することができ、UEのためのactive BWPをダイナミックに切り替えることができる。【００２０】
UEが各サービングセルにアクセスするとき（i.e., Idle modeからConnected modeに遷移するとき）に最初に滞在するBWP（i.e., initial active BWP）は、“イニシャルBWP”と呼ばれる。イニシャルBWPは、少なくともDL BWPを含み、（もしサービングセルがアップリンクを設定されているなら）UL BWPを含んでもよい。イニシャルBWPは、default BWP、reference BWP、primary BWP、anchor BWP、又はmaster BWPと呼ばれてもよい。UEに設定されるBWPセットは、イニシャルBWPを必ず含む。【００２１】
イニシャルBWPは、Common Search Spaceを必ず設定される。イニシャルBWP以外のBWPsは、Common Search Spaceを設定されてもよいし設定されなくてもよい。なお、Common Search Spaceは、UEがPDCCH data（i.e., DCI）を探すためにblind decoding を行うresources（i.e., PDCCH Search Space）のサブセットである。5G systemでは、LTEと同様に、PDCCH Search Spaceは、Common Search Space及びUE-specific Search Spaceを含む。UE-specific search space は各UE のために個々に（individually）RRC signalingを介して設定される。一方、サービングセルにアクセスする全てのUEはCommon Search Spaceの範囲（the extent or range）を知っている。NR Common Search Spaceは、システム情報及びページング、及びrandom access channel (RACH) response等をブロードキャストするために使用される。NR Common Search Spaceは、“Type0-PDCCH common search space”を含む。Type0-PDCCH common search spaceでは、System Information Block Type 1（SIB1）受信をUEに可能にするために、System Information Radio Network Temporary Identifier（SI-RNTI）によってスクランブルされたPDCCH（i.e., DCI）が送信される。【００２２】
3GPPでは、UEのactive DL BWPがCommon Search Space（CSS）を設定されていない場合、UEはシステム情報更新（SI update）をブロードキャストで受信しなくてもよいことが検討されている（例えば、非特許文献１を参照）。この場合、ネットワーク（NG-RAN）は、Common Search Spaceを設定されていないactive DL BWPに滞在しているUEに、更新されたSIを個別（dedicated）シグナリング（e.g., RRC Reconfigurationメッセージ）を介して送信してもよい。【００２３】
続いて、NG-RANのcloud RAN（C-RAN）配置（deployment）を説明する。図４は、NG-RANの全体（Overall）アーキテクチャを示す図である（非特許文献２を参照）。NG-RANは、NGインタフェースを介して5GCに接続されたgNBsのセットから構成される。gNBsは、Xnインタフェースで接続されることができる。図４に示されるように、gNBは、gNB Central Unit（gNB-CU）と１又はそれ以上のgNB Distributed Units（gNB-DUs）から構成されてもよい。gNB-CUとgNB-DUは、F1インタフェースを介して接続される。gNB-CUは、gNBのRRC、Service Data Adaptation Protocol（SDAP）、及びPacket Data Convergence Protocol（PDCP）protocols（又はgNBのRRC及びPDCP protocols）をホストする論理ノードである。gNB-DUは、gNBのRadio Link Control（RLC）、MAC、及びPHY layersをホストする論理ノードである。
【先行技術文献】
【非特許文献】
【００２４】
【非特許文献１】CATT, “CSS configuration for SI acquisition in non-initial BWP [C077]”, R2-1810493, 3GPP TSG-RAN WG2 Meeting #AH-1807, Montreal, Canada, July 2nd - July 6th 2018
【非特許文献２】3GPP TS 38.401 V15.2.0 (2018-06), “3rd Generation Partnership Project; Technical Specification Group Radio Access Network; NG-RAN; Architecture description (Release 15)”, June 2018
【発明の概要】
【発明が解決しようとする課題】
【００２５】
上述のように、UEのactive DL BWPがシステム情報受信のためのSearch Space (SS)を設定されていない場合、当該UEはブロードキャストを介してシステム情報を受信する必要はない。この場合、ネットワーク（i.e., gNB）は個別シグナリングを介してシステム情報を当該UEに送信する。【００２６】
なお、本明細書では、システム情報受信のためのSearch Spaceとの用語は、UEがシステム情報の更新（変更）又は配信を示す表示（indication）を包含するPDCCH data(i.e., DCI)を探すためにblind decoding を行うresources（i.e., PDCCH Search Space）を意味する。システム情報受信のためのSearch Spaceは、Common search space であってもよいし、各UEに個別に設定されるsearch spaceであってもよい。【００２７】
例えば、gNBは、Low end UEsの消費電力を抑えるために、システム情報受信のためのSS（e.g., CSS）を設定されていないactive DL BWP にこれらのLow end UEsを移すかもしれない。この場合、UEs（e.g., Low end UEs）は、システム情報受信のためのSSを設定されているBWP（e.g., イニシャルBWP）に戻るときに、緊急性のないシステム情報を受信してもよいかもしれない。【００２８】
しかしながら、特定のシステム情報、例えば緊急のシステム情報は、システム情報受信のためのSSを設定されていないactive DL BWPに滞在しているUEs（e.g., Low end UEs）によって速やかに受信されることが好ましいかもしれない。もしgNB-CUがシステム情報受信のためのSSを設定されていないactive DL BWPに滞在しているそれぞれのUEsにシステム情報を配信するために個別シグナリングメッセージ（e.g., RRC reconfiguration messages）を送るなら、gNB-CUの負荷が増加し、且つgNB-CUと各gNB-DUとの間のF1インタフェースの負荷も増加する可能性がある。【００２９】
このような緊急のシステム情報は、例えば、Public Warning System（PWS）の警告（Warning）メッセージであってもよい。5GCに接続されたNR（i.e., gNB）は、システム情報ブロードキャスト能力（capability）によってpublic warning systems (PWS)をサポートする。NR（i.e., gNB）は、warning messagesのブロードキャストと、warning messageがブロードキャストされていることを示す表示（i.e., ETWS/CMAS indication）を提供するためのUEのページングの責任を負う。【００３０】
PWSは、Earthquake and Tsunami Warning System（ETWS）、及びCommercial Mobile Alert System（CMAS）を含む。ETWS warning notificationsは、primary notification（short notification）及びsecondary notification（詳細情報（detailed information）を提供する）を含む。異なるSIBsがETWS primary notification、ETWS secondary notification、及びCMAS notificationのために定義される。具体的には、SIB6がETWS primary notificationを含み、SIB7がETWS secondary notificationを含み、SIB8がCMAS notificationを含む。【００３１】
RRC ConnectedにあるUEは、各ページング機会（paging occasion）においてETWS/CMAS indicationをモニターする。ETWS/CMAS indicationを示すページングは、次のmodification periodまで待つことなく（without delaying until the next modification period）システム情報を取得するようUEをトリガーする。すなわち、UEは、ETWS/CMAS indicationを受信したなら、次のmodification periodまで待つことなく、PWS関連システム情報（i.e., ETWS primary notification、ETWS secondary notification、又はCMAS notification）を取得するよう試みる。なお、Bandwidth Adaptation（BA）の場合、a UE in RRC_CONNECTED は、active BWP上のpaging channels のみをモニターし、active BWP上のシステム情報を取得するのみである。【００３２】
本明細書に開示される実施形態が達成しようとする目的の１つは、特定のシステム情報の受信のためのsearch spaceを設定されていないactive DL BWPに滞在している無線端末（e.g., UEs）に特定のシステム情報（e.g., PWS Warning messages）を送るために必要な中央ユニット（e.g., gNB-CU）の負荷並びに中央ユニット（e.g., gNB-CU）と各分散ユニット（e.g., gNB-DU）との間のインタフェース（e.g., F1インタフェース）の負荷を緩和することに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００３３】
第１の態様では、基地局の分散ユニットは、少なくとも１つのメモリ及び前記少なくとも１つのメモリに結合された少なくとも１つのプロセッサを含む。前記少なくとも１つのプロセッサは、特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更するよう構成される。前記少なくとも１つのプロセッサは、さらに、前記シグナリングメッセージを受信したことに応答して、前記特定のシステム情報を前記第２のダウンリンクBWP上でブロードキャストするよう構成される。【００３４】
第２の態様では、基地局の分散ユニットにおける方法は、
（ａ）特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
（ｂ）前記シグナリングメッセージを受信したことに応答して、前記特定のシステム情報を前記第２のダウンリンクBWP上でブロードキャストすること、
を含む。【００３５】
第３の態様では、基地局の分散ユニットは、少なくとも１つのメモリ及び前記少なくとも１つのメモリに結合された少なくとも１つのプロセッサを含む。前記少なくとも１つのプロセッサは、特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成するよう構成される。前記少なくとも１つのプロセッサは、さらに、前記複数の個別シグナリングメッセージを前記第１のダウンリンクBWP上で前記複数の無線端末に送信するよう構成される。【００３６】
第４の態様では、基地局の分散ユニットにおける方法は、
（ａ）特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成すること、及び
（ｂ）前記複数の個別シグナリングメッセージを前記第１のダウンリンクBWP上で前記複数の無線端末に送信すること、
を含む。【００３７】
第５の態様では、無線端末は、少なくとも１つのメモリ及び前記少なくとも１つのメモリに結合された少なくとも１つのプロセッサを含む。前記少なくとも１つのプロセッサは、特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信するよう構成される。前記少なくとも１つのプロセッサは、さらに、前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信するよう構成される。【００３８】
第６の態様では、無線端末における方法は、
（ａ）特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信すること、及び
（ｂ）前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信すること、
を含む。【００３９】
第７の態様では、プログラムは、コンピュータに読み込まれた場合に、上述の第２、第４、又は第６の態様に係る方法をコンピュータに行わせるための命令群（ソフトウェアコード）を含む。
【発明の効果】
【００４０】
上述の態様によれば、特定のシステム情報受信のためのsearch spaceを設定されていないactive DL BWPに滞在している無線端末（e.g., UEs）に特定のシステム情報（e.g., PWS Warning messages）を送るために必要な中央ユニット（e.g., gNB-CU）の負荷並びに中央ユニット（e.g., gNB-CU）と各分散ユニット（e.g., gNB-DU）との間のインタフェース（e.g., F1インタフェース）の負荷を緩和することに寄与する装置、方法、及びプログラムを提供できる。
【図面の簡単な説明】
【００４１】
【図１】5G Systemの基本アーキテクチャを示す図である。
【図２】Bandwidth part（BWP）の使用例を示す図である。
【図３】Bandwidth part（BWP）の使用例を示す図である。
【図４】NG-RANの全体アーキテクチャを示す図である。
【図５】第１の実施形態に係る無線通信ネットワークの構成例を示す図である。
【図６】第１の実施形態に係る無線通信ネットワークの構成例を示す図である。
【図７】第１の実施形態に係る分散ノード（e.g., gNB-DU）によって行われる処理の一例を示すフローチャートである。
【図８】第１の実施形態に係るシステム情報送信に関するシグナリングの一例を示すシーケンス図である。
【図９】第２の実施形態に係る分散ノード（e.g., gNB-DU）によって行われる処理の一例を示すフローチャートである。
【図１０】第２の実施形態に係るシステム情報送信に関するシグナリングの一例を示すシーケンス図である。
【図１１】幾つかの実施形態に係る中央ノード（e.g., gNB-CU）の構成例を示すブロック図である。
【図１２】幾つかの実施形態に係る分散ノード（e.g., gNB-DU）の構成例を示すブロック図である。
【図１３】幾つかの実施形態に係る無線端末の構成例を示すブロック図である。
【発明を実施するための形態】
【００４２】
以下では、具体的な実施形態について、図面を参照しながら詳細に説明する。各図面において、同一又は対応する要素には同一の符号が付されており、説明の明確化のため、必要に応じて重複説明は省略される。
【００４３】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００４４】
以下に示される複数の実施形態は、3GPP 5G systemを主な対象として説明される。しかしながら、これらの実施形態は、他の無線通信システムに適用されてもよい。
【００４５】
＜第１の実施形態＞
図５は、本実施形態に係る無線通信ネットワークの構成例を示している。本実施形態に係る無線通信ネットワークは、gNB Central Unit（gNB-CU）１、及び１又はそれ以上のgNB Distributed Units（gNB-DUs）２を含む。gNB-CU１及び各gNB-DU２の間はインタフェース５０１によって接続される。インタフェース５０１は、F1インタフェースである。UE３は、少なくとも１つのエアインタフェース５０２を介して、少なくとも１つのgNB-DU２に接続される。
【００４６】
図６に示されるように、gNB-CU１は、Control Plane （CP）Unit（gNB-CU-CP）１１及び１又はそれ以上のUser Plane（UP）Unit（gNB-CU-UP）１２を含んでもよい。この場合、gNB-CU-CP１１は、コントロールプレーン・インタフェース６０１（i.e., E1インタフェース）を介してgNB-CU-UP１２に接続される。さらに、gNB-CU-CP１１は、コントロールプレーン・インタフェース６０２（i.e., F1-Cインタフェース）を介してgNB-DU２に接続される。gNB-CU-UP１２は、ユーザプレーン・インタフェース６０３（i.e., F1-Uインタフェース）を介してgNB-DU２に接続される。
【００４７】
gNB-CU１は、gNBのRRC、SDAP、及びPDCP protocols（又はgNBのRRC及びPDCP protocols）をホストする論理ノードであってもよい。gNB-DU２は、gNBのRLC、MAC、及びPHY layersをホストする論理ノードであってもよい。このような機能配置では、UE３のために設定されるBWPセットをgNB-DU２が決定し、gNB-DU２がUE３のためのBWPセットの設定を関連するgNB-CU1に通知してもよい。さらに、gNB-DU２は、UE３の（最初の）active BWP(s)を決定し、これを関連するgNB-CU１に通知してもよい。これに代えて、UE３のために設定されるBWPセットをgNB-CU１が決定し、gNB-CU１がUE３のためのBWPセットの設定を関連するgNB-DU２に通知してもよい。さらに又はこれに代えて、gNB-CU１は、UE３の（最初の）active BWP(s)を決定し、これを関連するgNB-DU２に通知してもよい。なお、これらのいずれの場合であっても、gNB-DU２は、UE３のactive BWP(s)を変更してもよい。つまり、gNB-DU２がBWP(s)の活性化／非活性化を決定してもよい。さらに、gNB-DU２が変更後のBWP(s)の情報をgNB-CU１に通知してもよい。変更後のBWP(s)の情報は、例えば、各BWPが活性化／非活性化のどちらであるかを示す情報でもよいし、変更前のBWP(ｓ)の情報との差分を示す情報であってもよい。
【００４８】
図７は、gNB-DU２によって行われる処理の一例である処理７００を示している。ステップ７０１では、gNB-DU２は、インタフェース５０１（i.e., F1インタフェース）を介して、WRITE-REPLACE WARNING REQUESTメッセージをgNB-CU１から受信する。当該WRITE-REPLACE WARNING REQUESTメッセージは、PWS 警告メッセージのgNB-DU２によるブロードキャストをトリガーする。既に説明したように、PWS警告メッセージの具体例は、ETWS primary notification、ETWS secondary notification、及びCMAS notificationを含む。ETWS primary notificationはSIB6に含まれ、ETWS secondary notificationはSIB7に含まれ、CMAS notificationはSIB8に含まれる。
【００４９】
ステップ７０１のWRITE-REPLACE WARNING REQUESTメッセージは、PWS警告メッセージを包含する。具体的には、WRITE-REPLACE WARNING REQUESTメッセージは、PWS System Information情報要素（information element（IE））を含む。PWS System Information IEは、public warningのためのシステム情報、つまりPWS警告メッセージ（e.g., ETWS primary notification、ETWS secondary notification、又はCMAS notification）を含む。WRITE-REPLACE WARNING REQUESTメッセージは、さらに、システム情報がブロードキャストされるセルのリスト（i.e., Cell To Be Broadcast List情報要素）、ブロードキャストされるシステム情報の周期（periodicity）（i.e., Repetition Period情報要素）、及びブロードキャストされるシステム情報の回数（i.e., Number of Broadcasts Requested情報要素）を含んでもよい。
【００５０】
ステップ７０２では、gNB-DU２は、WRITE-REPLACE WARNING REQUESTメッセージの受信に応答して、UEsのactive DL BWPを、（システム情報（e.g., SIB6、SIB7、又はSIB8）である）PWS警告メッセージを受信するためのsearch spaceを設定されていないDL BWP#1から、PWS警告メッセージを受信するためのsearch spaceを設定されているDL BWP#2に変更する。具体的には、gNB-DU２は、DL BWP#1からDL BWP#2にactive DL BWPを変更するためのDCIをDL BWP#1上で各UEに送信してもよい。
【００５１】
ステップ７０３では、gNB-DU２は、WRITE-REPLACE WARNING REQUESTメッセージの受信に応答して、PWS警告メッセージをDL BWP#2上でブロードキャストする。具体的には、gNB-DU２は、PWS警告メッセージをDL BWP#2上でブロードキャストするとともに、PWS警告メッセージを包含するSIB（e.g., SIB6、SIB7、又はSIB8）の受信をUEsに可能にするために、SI-RNTIによってスクランブルされたPDCCH（i.e., DCI）をDL BWP#2のSS上で送信してもよい。言い換えると、gNB-DU２は、ETWS/CMAS indicationを示すページングをDL BWP#2のSS上で送信してもよい。
【００５２】
図７のステップ７０２及び７０３の順序は、作図のために便宜的に定められているに過ぎない。ステップ７０２のactive DL BWPの変更とステップ７０３のブロードキャストは並行して行われてもよい。ステップ７０３のブロードキャストは、ステップ７０２のactive BWPの変更よりも先に開始されてもよい。
【００５３】
説明を簡単にするために、ここではsearch spaceを設定されていないDL BWP#1に滞在するUEsのactive DL BWPの変更について説明したが、図７に示された処理は、search spaceを設定されていない複数のDL BWPs（e.g., DL BWP#1及びDL BWP#3）が存在する場合に適用されてもよい。具体的には、ステップ７０２では、gNB-DU２は、search spaceを設定されていないDL BWP#1に滞在するUEsの各々に対してsearch spaceを設定されているDL BWP#2に移るよう要求することに加えて、search spaceを設定されていないDL BWP#3に滞在するUEsの各々に対してsearch spaceを設定されているDL BWP#2（又は他のDL BWP）に移るよう要求してもよい。
【００５４】
図７の処理によれば、gNB-DU２は、PWS警告メッセージのブロードキャストを要求するシグナリングメッセージ（e.g., WRITE-REPLACE WARNING REQUESTメッセージ）をgNB-CU１から受信したことに応答して、UEsのactive DL BWPを、PWS警告メッセージを受信するためのsearch spaceを設定されていないDL BWP#1から、PWS警告メッセージを受信するためのsearch spaceを設定されているBWP#2に変更する。これにより、これらのUEsは、BWP#2上でブロードキャストされるPWS警告メッセージを受信することができ、したがってgNB-CU１は個別RRCシグナリングでこれらのUEsにPWS警告メッセージを送信しなくてもよい。よって、図７の手順は、PWS警告メッセージ受信のためのsearch spaceを設定されていないactive DL BWPに滞在しているUEsにPWS警告メッセージを送るために必要なgNB-CU１の負荷並びにgNB-CU１とgNB-DU２との間のインタフェース５０１の負荷を緩和できる。
【００５５】
図８は、本実施形態に係るシステム情報送信に関するシグナリングの一例である処理８００を示している。ステップ８０１では、UE３は、PWS警告メッセージ受信のためのsearch space（SS）を設定されていないDL BWP#1に滞在し、当該DL BWP#1において信号を受信するよう動作する。なお、図示されていないが、UE３は、DL BWP#1及びDL BWP#2を含む複数のDL BWPs（i.e., DL BWPセット）を設定されている。DL BWP#2は、PWS警告メッセージ受信のためのsearch spaceを設定されている。DL BWP#1はUE３の非イニシャルDL BWPであり、DL BWP#2はUE３のイニシャルDL BWPであってもよい。ステップ８０１では、DL BWP#1がUE３のために活性化され、DL BWP#2を含む他の設定されたDL BWPsが非活性化されている。
【００５６】
ステップ８０２では、gNB-CU１は、WRITE-REPLACE WARNING REQUESTメッセージをgNB-DU２に送る。当該WRITE-REPLACE WARNING REQUESTメッセージは、PWS 警告メッセージのgNB-DU２によるブロードキャストをトリガーする。当該WRITE-REPLACE WARNING REQUESTメッセージは、特定のUEに関連付けられていないシグナリングメッセージである（i.e., non-UE-associated signalling）。
【００５７】
ステップ８０３では、gNB-DU２は、WRITE-REPLACE WARNING REQUESTメッセージの受信に応答して、UE３のactive DL BWPをDL BWP#1からBWP#2に変更する。DL BWP#1は、PWS警告メッセージを受信するためのsearch spaceを設定されていない。一方、BWP#2は、DL BWP#1からPWS警告メッセージを受信するためのsearch spaceを設定されている。具体的には、gNB-DU２は、DL BWP#1からDL BWP#2にUE３のactive DL BWPを変更するためのDCIをDL BWP#1上でUE３に送信する。
【００５８】
ステップ８０４では、gNB-DU２は、PWS警告メッセージを包含するSIB（e.g., SIB6、SIB7、又はSIB8）の受信をUE３に可能にするために、SI-RNTIによってスクランブルされたDCIをDL BWP#2のSS上で送信する。言い換えると、gNB-DU２は、ETWS/CMAS indicationを示すページングをDL BWP#2のSS上で送信する。当該DCI（i.e., ETWS/CMAS indicationを示すページング）は、次のmodification periodまで待つことなく（without delaying until the next modification period）システム情報（i.e., PWS警告メッセージ）を取得するようUE３をトリガーする。
【００５９】
ステップ８０５では、UE３は、PWS警告メッセージを包含するSIBブロードキャストをDL BWP#2上で受信する。
【００６０】
図８の手順は変形されてもよい。例えば、ステップ８０４のDCIは、ステップ８０３のDCIに統合されてもよい。すなわち、ステップ８０３のDCIは、UE３のactive DL BWPのDL BWP#1からDL BWP#2への変更を示すだけでなく、DL BWP#2でのPWS警告メッセージの受信をトリガーする表示（indication）をさらに含んでもよい。このことは、active DL BWPをDL BWP#2に変更した後に速やかにPWS警告メッセージを受信することをUE３に可能する。
【００６１】
図７及び図８を用いて説明された処理は、PWS警告メッセージとは異なる他のシステム情報（及びシステム情報の更新）のブロードキャストのために利用されてもよい。すなわち、gNB-DU２は、特定のシステム情報のブロードキャストを要求するシグナリングメッセージをgNB-CU１から受信したことに応答して、UEsのactive DL BWPを、当該特定のシステム情報を受信するためのsearch spaceを設定されていないDL BWP#1から、当該特定のシステム情報を受信するためのsearch spaceを設定されているBWP#2に変更するよう構成されてもよい。これにより、gNB-DU２は、特定のシステム情報の受信のためのsearch spaceを設定されていないactive DL BWPに滞在しているUEsに特定のシステム情報を送るために必要なgNB-CU１の負荷並びにgNB-CU１とgNB-DU２との間のインタフェース５０１の負荷を緩和できる。
【００６２】
＜第２の実施形態＞
本実施形態は、システム情報送信に関するシグナリングの他の例を提供する。本実施形態に係る無線通信ネットワークの構成例は、図５及び図６に示された例と同様である。
【００６３】
図９は、gNB-DU２によって行われる処理の一例である処理９００を示している。ステップ９０１は、図７のステップ７０１と同様である。すなわち、ステップ９０１では、gNB-DU２は、インタフェース５０１（i.e., F1インタフェース）を介して、WRITE-REPLACE WARNING REQUESTメッセージをgNB-CU１から受信する。当該WRITE-REPLACE WARNING REQUESTメッセージは、特定のUEに関連付けられていないシグナリングメッセージである（i.e., non-UE-associated signalling）。
【００６４】
ステップ９０２では、gNB-DU２は、WRITE-REPLACE WARNING REQUESTメッセージの受信に応答して、複数の個別（dedicated）シグナリングメッセージを生成する。これら個別シグナリングメッセージは、PWS警告メッセージを受信するためのsearch spaceを設定されていないDL BWP#1に滞在するUEsそれぞれに関連付けられ、且つPWS警告メッセージを包含する。これら個別シグナリングメッセージは、RRCメッセージであってもよい。これら個別シグナリングメッセージは、PWS警告メッセージのために定義された新たなRRCメッセージ（e.g., RRC PWS メッセージ）であってもよい。
【００６５】
ステップ９０３では、gNB-DU２は、生成された複数の個別グナリングメッセージをDL BWP#1上でUEsに送信する。
【００６６】
なお図９には明示されてないが、ステップ７０３と同様に、gNB-DU２は、WRITE-REPLACE WARNING REQUESTメッセージの受信に応答して、PWS警告メッセージをDL BWP#2上でブロードキャストする。DL BWP#2は、PWS警告メッセージ受信のためのsearch spaceを設定されている。したがって、そのactive DL BWPがDL BWP#2であるUEsは、DL BWP#2上でブロードキャストされるPWS警告メッセージを受信できる。
【００６７】
図９の処理によれば、gNB-DU２が、gNB-CU１の代わりに、PWS警告メッセージを受信するためのsearch spaceを設定されていないDL BWPに滞在するUEsにPWS警告メッセージを送信するための個別RRCメッセージ（messages）を生成する。したがって、図９の手順は、PWS警告メッセージ受信のためのsearch spaceを設定されていないactive DL BWPに滞在しているUEsにPWS警告メッセージを送るために必要なgNB-CU１の負荷並びにgNB-CU１とgNB-DU２との間のインタフェース５０１の負荷を緩和できる。
【００６８】
既に説明したように、gNB-CU１は、gNBのRRC、SDAP、及びPDCP protocols（又はgNBのRRC及びPDCP protocols）をホストする論理ノードであり、一方gNB-DU２は、gNBのRLC、MAC、及びPHY layersをホストする論理ノードであってもよい。すなわち、RRC機能は、gNB-CU１に配置されてもよい。この場合、gNB-CU１が、AS security keysを管理し、RRCシグナリングの暗号化（ciphering）のためセキュリティキー（e.g., KRRC-enc）を生成する。一方、gNB-DU２は、RRCシグナリングの暗号化のためセキュリティキー（e.g., KRRC-enc）を保持しておらず、したがってPWS警告メッセージを包含するRRCメッセージ（ステップ９０２）を暗号化することができない。
【００６９】
この問題に対処するため、gNB-DU２は、RRCシグナリングの暗号化のためセキュリティキー（e.g., KRRC-enc）を使用せずに、ステップ９０２のPWS警告メッセージを包含する複数のRRCメッセージを生成してもよい。さらに、gNB-DU２は、暗号化されていない複数のRRCメッセージの送信に先立って、DL BWP#1に滞在するUEsに特別なDCIを送信してもよい。当該特別なDCIは、暗号化されていないRRCメッセージのためのダウンリンク無線リソースのスケジューリングを示す。例えば、当該DCIは、保護されていない（unprotected）メッセージを意味するフラグを含んでもよい。
【００７０】
これに代えて、gNB-CU１は、WRITE-REPLACE WARNING REQUESTメッセージ又はシステム情報の更新のメッセージを介して、セキュリティキー（e.g., KRRC-enc）をgNB-DU２に渡してもよく、gNB-DU２は、受信したセキュリティキーを用いて、暗号化された個別RRCメッセージを生成してもよい。
【００７１】
図１０は、本実施形態に係るシステム情報送信に関するシグナリングの一例である処理１０００を示している。ステップ１００１では、UE３は、PWS警告メッセージ受信のためのsearch space（SS）を設定されていないDL BWP#1に滞在し、当該DL BWP#1において信号を受信するよう動作する。なお、図示されていないが、UE３は、DL BWP#1及びDL BWP#2を含む複数のDL BWPs（i.e., DL BWPセット）を設定されている。DL BWP#2は、PWS警告メッセージ受信のためのsearch spaceを設定されている。DL BWP#1はUE３の非イニシャルDL BWPであり、DL BWP#2はUE３のイニシャルDL BWPであってもよい。ステップ１００１では、DL BWP#1がUE３のために活性化され、DL BWP#2を含む他の設定されたDL BWPsが非活性化されている。
【００７２】
ステップ１００２は、図８のステップ８０２と同様である。すなわち、NB-CU１は、WRITE-REPLACE WARNING REQUESTメッセージをgNB-DU２に送る。当該WRITE-REPLACE WARNING REQUESTメッセージは、特定のUEに関連付けられていないシグナリングメッセージである（i.e., non-UE-associated signalling）。
【００７３】
ステップ１００３では、gNB-DU２は、WRITE-REPLACE WARNING REQUESTメッセージの受信に応答して、PWS警告メッセージを送信するために、DL BWP#1に滞在するUEsに個別RRCメッセージ（messages）を送信するためのリソースをスケジュールし（又は割り当て）、個別RRCメッセージのためのリソーススケジューリングを示すDCIをDL BWP#1に滞在する各UEに送信する。
【００７４】
ステップ１００４では、gNB-DU２は、PWS警告メッセージを包含するRRCメッセージを生成し、これをDL BWP#1に滞在する各UEにDL BWP#1上で送信する。UE３は、DCI（ステップ１００３）を受信したことに応答して、当該UE３に関連付けられ且つPWS警告メッセージを包含する個別RRCメッセージをDL BWP#1上で受信する。
【００７５】
上述のように、これら個別RRCメッセージは、セキュリティキー（e.g., KRRC-enc）により暗号化されていなくてもよい。この場合、ステップ１００３のDCIは、暗号化されていないRRCメッセージのためのダウンリンク無線リソースのスケジューリングを示す。例えば、当該DCIは、保護されていない（unprotected）メッセージを意味するフラグを含んでもよい。UE３は、セキュリティキーによって暗号化されていないRRCメッセージのためのダウンリンク無線リソースのスケジューリングを示すDCI（ステップ１００３）を受信したことに応答して、当該UE３に関連付けられ且つPWS警告メッセージを包含する個別RRCメッセージを、セキュリティキーを使用せずにDL BWP#1上で受信する。
【００７６】
なお、PWS警告メッセージを受信するためのSSが設定されているDL BWP#2がUE３のために活性化されている場合、UE３は、DL BWP#2上のブロードキャストを介してPWS警告メッセージを受信する。
【００７７】
図９及び図１０を用いて説明された処理は、PWS警告メッセージとは異なる他のシステム情報（及びシステム情報の更新）のブロードキャストのために利用されてもよい。すなわち、gNB-DU２は、特定のシステム情報のブロードキャストを要求するシグナリングメッセージをgNB-CU１から受信したことに応答して、PWS警告メッセージを受信するためのsearch spaceを設定されていないDL BWP#1に滞在するUEsにPWS警告メッセージを送信するための個別RRCメッセージ（messages）を生成し、これら個別RRCメッセージをDL BWP#1上でUEsに送信するよう構成されてもよい。これにより、gNB-DU２は、特定のシステム情報の受信のためのsearch spaceを設定されていないactive DL BWP#1に滞在しているUEsに特定のシステム情報を送るために必要なgNB-CU１の負荷並びにgNB-CU１とgNB-DU２との間のインタフェース５０１の負荷を緩和できる。
【００７８】
続いて以下では、上述の複数の実施形態に係るgNB-CU１、gNB-DU２、及びUE３の構成例について説明する。図１１は、上述の実施形態に係るgNB-CU１の構成例を示すブロック図である。なお、gNB-CU-CP１１及びgNB-CU-UP１２の構成も図１１に示されたそれと同様であってもよい。図１１を参照すると、gNB-CU１は、ネットワークインターフェース１１０１、プロセッサ１１０２、及びメモリ１１０３を含む。ネットワークインターフェース１１０１は、ネットワークノード（e.g., gNB-DU２並びに5GC内の制御プーレーン（CP）ノード及びユーザプレーン（UP）ノード）と通信するために使用される。ネットワークインターフェース１１０１は、複数のインタフェースを含んでもよい。ネットワークインターフェース１１０１は、例えば、CU-DU間通信のための光ファイバーインタフェース及びIEEE 802.3 seriesに準拠したネットワークインターフェースを含んでもよい。
【００７９】
プロセッサ１１０２は、無線通信のためのデジタルベースバンド信号処理（データプレーン処理）とコントロールプレーン処理を行う。プロセッサ１１０２は、複数のプロセッサを含んでもよい。例えば、プロセッサ１１０２は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。
【００８０】
メモリ１１０３は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１１０３は、プロセッサ１１０２から離れて配置されたストレージを含んでもよい。この場合、プロセッサ１１０２は、ネットワークインターフェース１１０１又は図示されていないI/Oインタフェースを介してメモリ１１０３にアクセスしてもよい。
【００８１】
メモリ１１０３は、上述の複数の実施形態で説明されたgNB-CU１による処理を行うための命令群およびデータを含む１又はそれ以上のソフトウェアモジュール（コンピュータプログラム）１１０４を格納してもよい。いくつかの実装において、プロセッサ１１０２は、当該１又はそれ以上のソフトウェアモジュール１１０４をメモリ１１０３から読み出して実行することで、上述の実施形態で説明されたgNB-CU１の処理を行うよう構成されてもよい。
【００８２】
図１２は、上述の実施形態に係るgNB-DU２の構成例を示すブロック図である。図１２を参照すると、gNB-DU２は、Radio Frequencyトランシーバ１２０１、ネットワークインターフェース１２０３、プロセッサ１２０４、及びメモリ１２０５を含む。RFトランシーバ１２０１は、NG UEsと通信するためにアナログRF信号処理を行う。RFトランシーバ１２０１は、複数のトランシーバを含んでもよい。RFトランシーバ１２０１は、アンテナアレイ１２０２及びプロセッサ１２０４と結合される。RFトランシーバ１２０１は、変調シンボルデータをプロセッサ１２０４から受信し、送信RF信号を生成し、送信RF信号をアンテナアレイ１２０２に供給する。また、RFトランシーバ１２０１は、アンテナアレイ１２０２によって受信された受信RF信号に基づいてベースバンド受信信号を生成し、これをプロセッサ１２０４に供給する。RFトランシーバ１２０１は、ビームフォーミングのためのアナログビームフォーマ回路を含んでもよい。アナログビームフォーマ回路は、例えば複数の移相器及び複数の電力増幅器を含む。
【００８３】
ネットワークインターフェース１２０３は、ネットワークノード（e.g., gNB-CU１、gNB-CU-CP１１、gNB-CU-UP１２）と通信するために使用される。ネットワークインターフェース１２０３は、複数のインタフェースを含んでもよい。ネットワークインターフェース１２０３は、例えば、CU-DU間通信のための光ファイバーインタフェース及びIEEE 802.3 seriesに準拠したネットワークインターフェースのうち少なくとも１つを含んでもよい。
【００８４】
プロセッサ１２０４は、無線通信のためのデジタルベースバンド信号処理（データプレーン処理）とコントロールプレーン処理を行う。プロセッサ１２０４は、複数のプロセッサを含んでもよい。例えば、プロセッサ１２０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。プロセッサ１２０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【００８５】
メモリ１２０５は、揮発性メモリ及び不揮発性メモリの組み合わせによって構成される。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。メモリ１２０５は、プロセッサ１２０４から離れて配置されたストレージを含んでもよい。この場合、プロセッサ１２０４は、ネットワークインターフェース１２０３又は図示されていないI/Oインタフェースを介してメモリ１２０５にアクセスしてもよい。
【００８６】
メモリ１２０５は、上述の複数の実施形態で説明されたgNB-DU２による処理を行うための命令群およびデータを含む１又はそれ以上のソフトウェアモジュール（コンピュータプログラム）１２０６を格納してもよい。いくつかの実装において、プロセッサ１２０４は、当該１又はそれ以上のソフトウェアモジュール１２０６をメモリ１２０５から読み出して実行することで、上述の実施形態で説明されたgNB-DU２の処理を行うよう構成されてもよい。
【００８７】
図１３は、上述の実施形態に係るUE３の構成例を示すブロック図である。Radio Frequency（RF）トランシーバ１３０１は、RANノード（e.g., gNB-DU２）と通信するためにアナログRF信号処理を行う。RFトランシーバ１３０１は、複数のトランシーバを含んでもよい。RFトランシーバ１３０１により行われるアナログRF信号処理は、周波数アップコンバージョン、周波数ダウンコンバージョン、及び増幅を含む。RFトランシーバ１３０１は、アンテナアレイ１３０２及びベースバンドプロセッサ１３０３と結合される。RFトランシーバ１３０１は、変調シンボルデータ（又はOFDMシンボルデータ）をベースバンドプロセッサ１３０３から受信し、送信RF信号を生成し、送信RF信号をアンテナアレイ１３０２に供給する。また、RFトランシーバ１３０１は、アンテナアレイ１３０２によって受信された受信ＲＦ信号に基づいてベースバンド受信信号を生成し、これをベースバンドプロセッサ１３０３に供給する。RFトランシーバ１３０１は、ビームフォーミングのためのアナログビームフォーマ回路を含んでもよい。アナログビームフォーマ回路は、例えば複数の移相器及び複数の電力増幅器を含む。
【００８８】
ベースバンドプロセッサ１３０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００８９】
例えば、ベースバンドプロセッサ１３０３によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、ベースバンドプロセッサ１３０３によるコントロールプレーン処理は、Non-Access Stratum（NAS）プロトコル、RRCプロトコル、及びMAC CEの処理を含んでもよい。
【００９０】
ベースバンドプロセッサ１３０３は、ビームフォーミングのためのMIMOエンコーディング及びプリコーディングを行ってもよい。
【００９１】
ベースバンドプロセッサ１３０３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ１３０４と共通化されてもよい。
【００９２】
アプリケーションプロセッサ１３０４は、CPU、MPU、マイクロプロセッサ、又はプロセッサコアとも呼ばれる。アプリケーションプロセッサ１３０４は、複数のプロセッサ（複数のプロセッサコア）を含んでもよい。アプリケーションプロセッサ１３０４は、メモリ１３０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE３の各種機能を実現する。
【００９３】
幾つかの実装において、図１３に破線（１３０５）で示されているように、ベースバンドプロセッサ１３０３及びアプリケーションプロセッサ１３０４は、１つのチップ上に集積されてもよい。言い換えると、ベースバンドプロセッサ１３０３及びアプリケーションプロセッサ１３０４は、１つのSystem on Chip（SoC）デバイス１３０５として実装されてもよい。SoCデバイスは、システムLarge Scale Integration（LSI）またはチップセットと呼ばれることもある。
【００９４】
メモリ１３０６は、揮発性メモリ若しくは不揮発性メモリ又はこれらの組合せである。メモリ１３０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ１３０６は、ベースバンドプロセッサ１３０３、アプリケーションプロセッサ１３０４、及びSoC１３０５からアクセス可能な外部メモリデバイスを含んでもよい。メモリ１３０６は、ベースバンドプロセッサ１３０３内、アプリケーションプロセッサ１３０４内、又はSoC１３０５内に集積された内蔵メモリデバイスを含んでもよい。さらに、メモリ１３０６は、Universal Integrated Circuit Card（UICC）内のメモリを含んでもよい。
【００９５】
メモリ１３０６は、上述の複数の実施形態で説明されたUE３による処理を行うための命令群およびデータを含む１又はそれ以上のソフトウェアモジュール（コンピュータプログラム）１３０７を格納してもよい。幾つかの実装において、ベースバンドプロセッサ１３０３又はアプリケーションプロセッサ１３０４は、当該ソフトウェアモジュール１３０７をメモリ１３０６から読み出して実行することで、上述の実施形態で図面を用いて説明されたUE３の処理を行うよう構成されてもよい。
【００９６】
なお、上述の実施形態で説明されたUE３によって行われるコントロールプレーン処理及び動作は、RFトランシーバ１３０１及びアンテナアレイ１３０２を除く他の要素、すなわちベースバンドプロセッサ１３０３及びアプリケーションプロセッサ１３０４の少なくとも一方とソフトウェアモジュール１３０７を格納したメモリ１３０６とによって実現されることができる。
【００９７】
図１１〜図１３を用いて説明したように、上述の実施形態に係るgNB-CU１、gNB-DU２、及びUE３が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９８】
＜その他の実施形態＞
上述の実施形態で説明されたgNB-CU１とgNB-DU２の間のシグナリングは、gNB-CU-CP１１とgNB-DU２の間で行われてもよい。
【００９９】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１００】
例えば、上記の実施形態の一部又は全部は、以下の付記のようにも記載され得るが、以下には限られない。
【０１０１】
（付記Ａ１）
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更し、
前記シグナリングメッセージを受信したことに応答して、前記特定のシステム情報を前記第２のダウンリンクBWP上でブロードキャストするよう構成される、
分散ユニット。
【０１０２】
（付記Ａ２）
前記少なくとも１つのプロセッサは、前記活性化ダウンリンクBWPの前記第１のダウンリンクBWPから前記第２のダウンリンクBWPへの変更を示すダウンリンク制御情報を前記複数の無線端末に送信するよう構成され、
前記ダウンリンク制御情報は、前記第２のダウンリンクBWPでの前記特定のシステム情報の受信をトリガーする表示（indication）をさらに含む、
付記Ａ１に記載の分散ユニット。
【０１０３】
（付記Ａ３）
前記第１のダウンリンクBWPはイニシャル・ダウンリンクBWPであり、前記第２のダウンリンクBWPはイニシャル・ダウンリンクBWPである、
付記Ａ１又はＡ２に記載の分散ユニット。
【０１０４】
（付記Ａ４）
前記特定のシステム情報は、Public Warning System（PWS）の警告（Warning）メッセージである、
付記Ａ１〜Ａ３のいずれか１項に記載の分散ユニット。
【０１０５】
（付記Ａ５）
前記シグナリングメッセージは、F1インタフェース上で前記中央ユニットから前記分散ユニットに送られるWRITE-REPLACE WARNING REQUESTメッセージである、
付記Ａ４に記載の分散ユニット。
【０１０６】
（付記Ａ６）
基地局の分散ユニットにおける方法であって、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
前記シグナリングメッセージを受信したことに応答して、前記特定のシステム情報を前記第２のダウンリンクBWP上でブロードキャストすること、
を備える方法。
【０１０７】
（付記Ａ７）
前記変更することは、前記活性化ダウンリンクBWPの前記第１のダウンリンクBWPから前記第２のダウンリンクBWPへの変更を示すダウンリンク制御情報を前記複数の無線端末に送信することを備え、
前記ダウンリンク制御情報は、前記第２のダウンリンクBWPでの前記特定のシステム情報の受信をトリガーする表示（indication）をさらに含む、
付記Ａ６に記載の方法。
【０１０８】
（付記Ａ８）
前記第１のダウンリンクBWPはイニシャル・ダウンリンクBWPであり、前記第２のダウンリンクBWPはイニシャル・ダウンリンクBWPである、
付記Ａ６又はＡ７に記載の方法。
【０１０９】
（付記Ａ９）
前記特定のシステム情報は、Public Warning System（PWS）の警告（Warning）メッセージである、
付記Ａ６〜Ａ８のいずれか１項に記載の方法。
【０１１０】
（付記Ａ１０）
前記シグナリングメッセージは、F1インタフェース上で前記中央ユニットから前記分散ユニットに送られるWRITE-REPLACE WARNING REQUESTメッセージである、
付記Ａ９に記載の方法。
【０１１１】
（付記Ａ１１）
基地局の分散ユニットにおける方法をコンピュータに行わせるためのプログラムであって、
前記方法は、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
前記シグナリングメッセージを受信したことに応答して、前記特定のシステム情報を前記第２のダウンリンクBWP上でブロードキャストすること、
を備える、
プログラム。
【０１１２】
（付記Ｂ１）
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成し、
前記複数の個別シグナリングメッセージを前記第１のダウンリンクBWP上で前記複数の無線端末に送信するよう構成される、
分散ユニット。
【０１１３】
（付記Ｂ２）
前記少なくとも１つのプロセッサは、さらに、前記特定のシステム情報を受信するためのsearch spaceを設定されている第２のダウンリンクBWP上で前記特定のシステム情報をブロードキャストするよう構成される、
付記Ｂ１に記載の分散ユニット。
【０１１４】
（付記Ｂ３）
前記複数の個別シグナリングメッセージの各々はRadio Resource Control（RRC）メッセージであり、
前記少なくとも１つのプロセッサは、RRCシグナリングの暗号化（ciphering）のためセキュリティキーを使用せずに、前記複数の個別シグナリングメッセージを送信するよう構成される、
付記Ｂ１又はＢ２に記載の分散ユニット。
【０１１５】
（付記Ｂ４）
前記少なくとも１つのプロセッサは、さらに、前記複数の個別シグナリングメッセージの送信に先立って、前記セキュリティキーによって暗号化されていないRRCメッセージのためのダウンリンク無線リソースのスケジューリングを示すダウンリンク制御情報を前記複数の無線端末に送信するよう構成される、
付記Ｂ３に記載の分散ユニット。
【０１１６】
（付記Ｂ５）
前記複数の個別シグナリングメッセージの各々はRadio Resource Control（RRC）メッセージであり、
前記少なくとも１つのプロセッサは、前記複数の個別シグナリングメッセージを暗号化するための複数のセキュリティキーを前記中央ユニットから受信するよう構成される、
付記Ｂ１又はＢ２に記載の分散ユニット。
【０１１７】
（付記Ｂ６）
前記特定のシステム情報は、Public Warning System（PWS）の警告（Warning）メッセージである、
付記Ｂ１〜Ｂ５のいずれか１項に記載の分散ユニット。
【０１１８】
（付記Ｂ７）
前記第１のシグナリングメッセージは、F1インタフェース上で前記中央ユニットから前記分散ユニットに送られるWRITE-REPLACE WARNING REQUESTメッセージである、
付記Ｂ６に記載の分散ユニット。
【０１１９】
（付記Ｂ８）
基地局の分散ユニットにおける方法であって、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成すること、及び
前記複数の個別シグナリングメッセージを前記第１のダウンリンクBWP上で前記複数の無線端末に送信すること、
を備える方法。
【０１２０】
（付記Ｂ９）
前記特定のシステム情報を受信するためのsearch spaceを設定されている第２のダウンリンクBWP上で前記特定のシステム情報をブロードキャストすることをさらに備える、
付記Ｂ８に記載の方法。
【０１２１】
（付記Ｂ１０）
前記複数の個別シグナリングメッセージの各々はRadio Resource Control（RRC）メッセージであり、
前記送信することは、RRCシグナリングの暗号化（ciphering）のためセキュリティキーを使用せずに、前記複数の個別シグナリングメッセージを送信することを含む、
付記Ｂ８又はＢ９に記載の方法。
【０１２２】
（付記Ｂ１１）
前記複数の個別シグナリングメッセージの送信に先立って、前記セキュリティキーによって暗号化されていないRRCメッセージのためのダウンリンク無線リソースのスケジューリングを示すダウンリンク制御情報を前記複数の無線端末に送信することをさらに備える、
付記Ｂ１０に記載の方法。
【０１２３】
（付記Ｂ１２）
前記複数の個別シグナリングメッセージの各々はRadio Resource Control（RRC）メッセージであり、
前記方法は、前記複数の個別シグナリングメッセージを暗号化するための複数のセキュリティキーを前記中央ユニットから受信することをさらに備える、
付記Ｂ８又はＢ９に記載の方法。
【０１２４】
（付記Ｂ１３）
前記特定のシステム情報は、Public Warning System（PWS）の警告（Warning）メッセージである、
付記Ｂ８〜Ｂ１２のいずれか１項に記載の方法。
【０１２５】
（付記Ｂ１４）
前記第１のシグナリングメッセージは、F1インタフェース上で前記中央ユニットから前記分散ユニットに送られるWRITE-REPLACE WARNING REQUESTメッセージである、
付記Ｂ１３に記載の方法。
【０１２６】
（付記Ｂ１５）
基地局の分散ユニットにおける方法をコンピュータに行わせるためのプログラムであって、
前記方法は、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成すること、及び
前記複数の個別シグナリングメッセージを前記第１のダウンリンクBWP上で前記複数の無線端末に送信すること、
を備える、
プログラム。
【０１２７】
（付記Ｂ１６）
無線端末であって、
メモリと、
前記メモリに結合された少なくとも１つのプロセッサと、
を備え、
前記少なくとも１つのプロセッサは、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信し、
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信するよう構成される、
無線端末。
【０１２８】
（付記Ｂ１７）
前記少なくとも１つのプロセッサは、さらに、前記特定のシステム情報を受信するためのsearch spaceを設定されている第２のダウンリンクBWPに前記無線端末が滞在しているとき、前記第２のダウンリンクBWP上でのブロードキャストを介して前記特定のシステム情報を受信するよう構成される、
付記Ｂ１６に記載の無線端末。
【０１２９】
（付記Ｂ１８）
前記特定のシステム情報は、Public Warning System（PWS）の警告（Warning）メッセージである、
付記Ｂ１６又はＢ１７に記載の無線端末。
【０１３０】
（付記Ｂ１９）
無線端末における方法であって、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信すること、及び
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信すること、
を備える、方法。
【０１３１】
（付記Ｂ２０）
前記特定のシステム情報を受信するためのsearch spaceを設定されている第２のダウンリンクBWPに前記無線端末が滞在しているとき、前記第２のダウンリンクBWP上でのブロードキャストを介して前記特定のシステム情報を受信することをさらに備える、
付記Ｂ１９に記載の方法。
【０１３２】
（付記Ｂ２１）
前記特定のシステム情報は、Public Warning System（PWS）の警告（Warning）メッセージである、
付記Ｂ１９又はＢ２０に記載の方法。
【０１３３】
（付記Ｂ２２）
無線端末における方法をコンピュータに行わせるためのプログラムであって、
前記方法は、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信すること、及び
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信すること、
を備える、
プログラム。
【０１３４】
この出願は、２０１８年９月７日に出願された日本出願特願２０１８−１６８０５９を基礎とする優先権を主張し、その開示の全てをここに取り込む。
【符号の説明】
【０１３５】
１  gNB-CU
２  gNB-DU
３  UE
１１  gNB-CU-CP
１２  gNB-CU-UP
１１０２  プロセッサ
１１０３  メモリ
１１０４  モジュール（modules）
１２０４  プロセッサ
１２０５  メモリ
１２０６  モジュール（modules）
１３０３  ベースバンドプロセッサ
１３０４  アプリケーションプロセッサ
１３０６  メモリ
１３０７  モジュール（modules）
【図１】
2020049812.tif 000003
【図２】
2020049812.tif 000004
【図３】
2020049812.tif 000005
【図４】
2020049812.tif 000006
【図５】
2020049812.tif 000007
【図６】
2020049812.tif 000008
【図７】
2020049812.tif 000009
【図８】
2020049812.tif 000010
【図９】
2020049812.tif 000011
【図１０】
2020049812.tif 000012
【図１１】
2020049812.tif 000013
【図１２】
2020049812.tif 000014
【図１３】
2020049812.tif 000015
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更し、
前記シグナリングメッセージを受信したことに応答して、前記特定のシステム情報を前記第２のダウンリンクBWP上でブロードキャストするよう構成される、
分散ユニット。
【請求項２】
前記少なくとも１つのプロセッサは、前記活性化ダウンリンクBWPの前記第１のダウンリンクBWPから前記第２のダウンリンクBWPへの変更を示すダウンリンク制御情報を前記複数の無線端末に送信するよう構成され、
前記ダウンリンク制御情報は、前記第２のダウンリンクBWPでの前記特定のシステム情報の受信をトリガーする表示（indication）をさらに含む、
請求項１に記載の分散ユニット。
【請求項３】
前記第１のダウンリンクBWPは非イニシャル・ダウンリンクBWPであり、前記第２のダウンリンクBWPはイニシャル・ダウンリンクBWPである、
請求項１又は２に記載の分散ユニット。
【請求項４】
基地局の分散ユニットにおける方法であって、
特定のシステム情報のブロードキャストを要求するシグナリングメッセージを前記基地局の中央ユニットから受信したことに応答して、複数の無線端末の活性化ダウンリンクBandwidth Part（BWP）を、前記特定のシステム情報を受信するためのsearch spaceを設定されていない第１のダウンリンクBWPから前記特定のシステム情報を受信するためのsearch spaceを設定されている第２のダウンリンクBWPに変更すること、及び
前記シグナリングメッセージを受信したことに応答して、前記特定のシステム情報を前記第２のダウンリンクBWP上でブロードキャストすること、
を備える方法。
【請求項５】
基地局の分散ユニットであって、
少なくとも１つのメモリと、
前記少なくとも１つのメモリに結合された少なくとも１つのプロセッサと、
を備え、
前記少なくとも１つのプロセッサは、
特定のシステム情報のブロードキャストを要求し且つ特定の無線端末に関連付けられていない第１のシグナリングメッセージを前記基地局の中央ユニットから受信したことに応答して、前記特定のシステム情報を受信するためのsearch spaceを設定されていない第１のダウンリンクBWPに滞在する複数の無線端末それぞれに関連付けられ且つ前記特定のシステム情報を包含する複数の個別（dedicated）シグナリングメッセージを生成し、
前記複数の個別シグナリングメッセージを前記第１のダウンリンクBWP上で前記複数の無線端末に送信するよう構成される、
分散ユニット。
【請求項６】
前記少なくとも１つのプロセッサは、さらに、前記特定のシステム情報を受信するためのsearch spaceを設定されている第２のダウンリンクBWP上で前記特定のシステム情報をブロードキャストするよう構成される、
請求項５に記載の分散ユニット。
【請求項７】
前記複数の個別シグナリングメッセージの各々はRadio Resource Control（RRC）メッセージであり、
前記少なくとも１つのプロセッサは、RRCシグナリングの暗号化（ciphering）のためセキュリティキーを使用せずに、前記複数の個別シグナリングメッセージを送信するよう構成される、
請求項５又は６に記載の分散ユニット。
【請求項８】
前記少なくとも１つのプロセッサは、さらに、前記複数の個別シグナリングメッセージの送信に先立って、前記セキュリティキーによって暗号化されていないRRCメッセージのためのダウンリンク無線リソースのスケジューリングを示すダウンリンク制御情報を前記複数の無線端末に送信するよう構成される、
請求項７に記載の分散ユニット。
【請求項９】
前記複数の個別シグナリングメッセージの各々はRadio Resource Control（RRC）メッセージであり、
前記少なくとも１つのプロセッサは、前記複数の個別シグナリングメッセージを暗号化するための複数のセキュリティキーを前記中央ユニットから受信するよう構成される、
請求項５又は６に記載の分散ユニット。
【請求項１０】
無線端末であって、
メモリと、
前記メモリに結合された少なくとも１つのプロセッサと、
を備え、
前記少なくとも１つのプロセッサは、
特定のシステム情報を受信するためのsearch spaceを設定されていない第１のダウンリンクBWPに前記無線端末が滞在しているとき、セキュリティキーによって暗号化されていないRadio Resource Control（RRC）メッセージのためのダウンリンク無線リソースのスケジューリングを示すダウンリンク制御情報を前記第１のダウンリンクBWP上で受信し、
前記ダウンリンク制御情報の受信に応答して、前記無線端末に関連付けられ且つ前記特定のシステム情報を包含する個別RRCメッセージを、前記セキュリティキーを使用せずに前記第１のダウンリンクBWP上で受信するよう構成される、
無線端末。
【国際調査報告】
2020049812.tif 000016
2020049812.tif 000017
2020049812.tif 000018
2020049812.tif 000019
2020049812.tif 000020
2020049812.tif 000021
2020049812.tif 000022
2020049812.tif 000023